(57)【特許請求の範囲】
【請求項１】
複数の発光体または複数の光バルブからなるアレイと、
アクティブ・マトリクスであって、
複数の電圧モードの信号をアドレス指定するためのアドレス指定電極からなるアレイと、
複数の選択電極からなる第１のアレイと、
各々が前記複数の発光体または複数の光バルブのそれぞれを制御するように配置された複数の回路からなるアレイであって、各回路は、直列に搭載された結合キャパシタと第１の選択スイッチとを経由してアドレス指定電極に結合するように配列された制御端子を備え、前記第１の選択スイッチは、トランジスタである、複数の回路からなる、アレイと、
前記制御端子を所定の電圧にクランピングするための少なくとも１つの参照電極と、
クランプ用スイッチを介して、前記制御端子に接続されるように配置されたクランプ用端子であって、前記クランプ用スイッチは、前記クランプ用スイッチと前記第１の選択スイッチとの共通の制御端子に送られる信号が前記クランプ用スイッチと前記第１の選択スイッチとの同じ開閉状態を引き起こすような、前記第１の選択スイッチと同じ極性を有するトランジスタである、クランプ用端子と、
前記制御端子と前記クランプ用端子との間に搭載された保持キャパシタと、
を備えたアクティブ・マトリクスと、
を備え、
前記クランプ用端子が１つの参照電極にリンクされ、
前記第１の選択スイッチの制御端子と前記クランプ用スイッチの制御端子とが、前記第１のアレイの同じ選択電極に直接接続している、
表示パネル。
【請求項２】
少なくとも１つのベース電力供給電極と少なくとも１つの上位電力供給電極との間で電力が与えられるように配置された発光体のアレイを備え、
発光体の前記制御回路のそれぞれは、前記制御回路の制御電極を形成する電圧モードの制御電極と、前記ベース電力供給電極および前記上位電力供給電極の１つと前記発光体の電力供給電極の間に接続される電流入力電極および電流出力電極を備えた電流変調器を備える、請求項１に記載の表示パネル。
【請求項３】
前記電流変調器は、アモルファス・シリコンからなる半導体層を備えたトランジスタである、請求項２に記載の表示パネル。
【請求項４】
前記発光体は、発光ダイオードである、請求項２または３に記載の表示パネル。
【請求項５】
前記制御回路は、前記制御端子を前記アドレス指定電極に、前記結合キャパシタを通過することなくリンクするように配列された第２の選択スイッチを備える、請求項１乃至４のいずれか１項に記載の表示パネル。
【請求項６】
請求項１乃至５のいずれか１つに記載の表示パネルを制御する方法であって、
所定の電圧が、前記表示パネルの少なくとも１つの制御回路の前記制御端子に印加され、保持される連続した複数の期間を備え、前記期間の少なくとも１つの期間において、前記所定の電圧が、容量結合によって、それぞれの回路の前記制御端子に印加され、前記所定の電圧は、
クランピング・ステップであって、前記表示パネルの前記参照電極がクランピング電位に向かって変化して、選択信号が前記制御回路の前記第１の選択スイッチと前記クランプ用スイッチを制御する前記選択電極に印加され、前記選択信号が前記スイッチを閉じるように適合され、前記選択信号が印加されている間に、初期電圧信号が前記アドレス指定電極に印加される、クランピング・ステップと、
回路プログラミング・ステップであって、前記選択信号が依然として印加されている期間で、前記参照電極にリンクされた前記クランプ用端子の前記クランピング電位への前記制御端子の電位のクランピングが達成された後、かつ、前記初期電圧信号が印加された後に、最終電圧信号が前記アドレス指定電極に印加され、該最終電圧信号が電圧ジャンプを前記アドレス指定電極上に生成し、次に過渡的電圧ジャンプを前記アドレス指定電極に結合した前記制御端子上に生成し、前記過渡的電圧ジャンプの期間に前記選択信号が終了し、前記初期電圧信号と前記最終電圧信号の値は、前記選択信号が終了した時点で、前記制御端子上で、電圧ジャンプを得るように適合されている回路プログラミング・ステップと、
に従って取得される、前記方法。
【請求項７】
前記アドレス指定電極での前記電圧ジャンプと前記選択信号の終了時との間の時間間隔Ｔは、前記制御端子で得られる前記電圧ジャンプがほぼ最大値をとるように適合される、請求項６に記載の方法。
【請求項８】
ＣＣとＣＳが前記結合キャパシタと前記保持キャパシタのそれぞれのキャパシタンスの値であるとし、Ｒ４が閉じているときの前記第１の選択スイッチの電気抵抗であるとし、Ｒ３が閉じているときの前記クランプ用スイッチの電気抵抗であるとし、Ｔ０が式
【数１】
0005536338.tif 000006
で定義されるとき、前記アドレス指定電極での前記電圧ジャンプと前記選択信号の終了時との間の時間間隔Ｔは、Ｔ０≦Ｔ≦１．１Ｔ０である、請求項６または７に記載の方法。
【請求項９】
前記複数の期間は、前記表示パネルの前記制御回路に画像を表示するための電流が流れる複数の発光期間と前記表示パネルの前記制御回路に前記電流がブロックされる複数のデポラリゼーション期間とを備え、
１つのデポラリゼーション期間に制御回路の前記制御端子に印加されて保持される所定のデポラリゼーション電圧は、１つの発光期間に同じ回路の前記制御端子に印加され保持される所定の発光電圧とは反対の極性の電圧であり、前記発光電圧は、前記制御端子が結合するように配列された前記アドレス指定電極への発光信号の印加によって得られ、
過渡的容量結合によって電圧を印加する少なくとも１つ期間は、前記１つのデポラリゼーション期間を含み、
前記１つのデポラリゼーション期間のそれぞれに関して、前記過渡的容量結合によって所定のデポラリゼーション電圧を前記表示パネルの制御回路のそれぞれの前記制御端子に印加することに関して、前記初期電圧信号および前記最終電圧信号が前記発光信号と同じ極性を示すように選ばれる、請求項６から８のいずれか１項に記載の方法。
【発明の詳細な説明】
【技術分野】
【０００１】
本発明は、例えば発光ダイオードのような発光体アレイ、または、例えば液晶バルブのような光バルブのアレイを用いて画像を表示するために用いることのできるアクティブ・マトリクス・パネルに関する。これらの発光体またはバルブは、通常は、複数の行と複数の列に分けられている。
【背景技術】
【０００２】
用語「アクティブ・マトリクス」は、基板（substrate）を意味し、この基板によって支持されている発光体または光バルブを制御して、これに電力を供給するために適した、電極と回路のアレイを集積した基板を指す。複数の電極からなるこれらのアレイは、通常は、複数のアドレス指定電極からなる少なくとも１つのアレイと、複数の選択電極からなる１つのアレイと、アドレス指定のための少なくとも１つの参照電極と、およびこれら発光体へ電力を供給するための少なくとも１つのベース電極とを備えている。場合によっては、アドレス指定のための参照電極と電力供給のためのベース電極とは組み合わされている。このパネルは、また、通常、全てのバルブまたは全ての発光体に共通の、少なくとも１つの上位電力供給電極を備えるが、これはアクティブ・マトリクスに集積されてはいない。バルブまたは発光体のそれぞれは、通常は電力供給のためにベース電極にリンクしたベース電力供給端子と、通常は、パネルの全てをカバーする上位電力供給電極の間に挿入される。
【０００３】
各制御回路(すなわち「駆動回路」)は、選択スイッチを経由してアドレス指定電極にリンクされたまたは結合された制御端子と、このスイッチの制御端子に対応して選択電極にリンクされる選択端子と、および参照電極にリンクされる、または結合される参照端子を備えている。それ故に、各駆動回路は、アドレス指定電極から発生したアドレス指定信号をこの回路に伝達するために適した選択スイッチを備えている。ある回路のこの選択スイッチを閉じることはその回路を選択することに対応する。
【０００４】
一般に、各アドレス指定電極は、同一の列（column）の全て発光体の、または全てのバルブの駆動回路の制御端子にリンクされ、または結合されている。各選択電極は、同一の行（row）の全ての発光体、または全てのバルブの駆動回路の選択端子にリンクされ、または結合されている。アクティブ・マトリクスは、他の行、または列の電極を備えることもできる。
【０００５】
アドレス指定電極は、駆動回路に、電圧モードあるいは電流モードの、アナログまたはディジタルの制御信号をアドレス指定するために用いられる。複数の発光期間の間、或るバルブまたは或る発光体の駆動回路用の各制御信号は、そのバルブまたはその発光体に関連付けられた画素または副画素の画像データを表している。
【０００６】
光バルブのパネルの場合には、各駆動回路と電力供給回路は、記憶素子、通常は、画像フレームの期間、そのバルブの制御電圧を維持するように設計されたキャパシタを備えている。このキャパシタは、このバルブに直接、並列に接続される。バルブの制御電圧は、そのバルブの端子間での電位差である。特に単純な駆動回路の場合には、回路の制御端子は、バルブの複数の端子のうちの１つにリンクされ、または結合される。
【０００７】
電流制御型の発光体、例えば発光ダイオードの、特に有機ダイオードのパネルの場合には、各駆動回路と電力供給回路は、通常は、ＴＦＴトランジスタである電流変調器を通常は備える。前記ＴＦＴトランジスタは、電流が通過する２つの端子、すなわち１つはソース端子であり、１つはドレイン端子と、電圧モードの制御をするためのゲート端子を備えている。この変調器は制御されるべき発光体と直列に接続されて、この直列接続は、次ぎに電力供給のための(上位)電力供給電極とベース電極との間に接続される。通常は、変調器と発光体との共通端子はドレイン端子であり、ソース端子は電力供給のためのベース電極にリンクされて、一定電位に保たれる。変調器の制御電圧は変調器のゲートとソースの電位差である。各駆動回路は、その回路の制御端子にアドレス指定された信号によって変調器の制御電圧を発生するための手段を備えている。各駆動回路はまた、前記のように、各画像の期間、または画像フレームの間、変調器の制御電圧を保持するように設計された保持キャパシタを供えている。特に単純な駆動回路の場合には、回路の制御端子は変調器のゲート端子に一致している。従来は、電圧モードの制御または電流モードの制御の２種類の制御があった。電圧モード制御の場合には、アドレス指定信号は電圧ステップである。電流モード制御の場合には、アドレス指定信号は電流ステップである。
【０００８】
発光体パネルの電流モード制御の場合には、各駆動回路は、電流信号に基づいて、ゲート端子に印加される、この回路の変調器の制御電圧を「プログラム」する、よく知られている方法で、設計される。
【０００９】
アドレス指定電極と選択電極は、今度は、パネルの端部で、これら電極の終端部に置かれた制御手段（「電極駆動回路」）によって制御される。これらの制御手段は制御可能スイッチを備えている。
【００１０】
【特許文献１】欧州特許第ＥＰ１０９４４３８号明細書
【特許文献２】欧州特許第ＥＰ１１９７９４３号明細書
【特許文献３】米国特許出願公開第２００３／０５２６１４号明細書
【特許文献４】国際公開第ＷＯ２００５／０７１６４８号明細書
【特許文献５】国際公開第ＷＯ２００５／０７３９４８号明細書
【特許文献６】米国特許出願公開第２００３／１１２２０５号明細書
【特許文献７】米国特許第６２２９５０６号明細書
【特許文献８】米国特許第６７７７８８８号明細書
【特許文献９】米国特許第６６１８０３０号明細書
【特許文献１０】米国特許第６８８５０２９号明細書
【発明の開示】
【発明が解決しようとする課題】
【００１１】
画像の良好な表示品質を確保し、および／またはパネルの寿命を延ばすためには、駆動回路の変調器の制御電圧および／またはバルブまたは発光体の電力供給電圧を定期的に逆転することが重要である。  
・光バルブの、特に液晶のパネルの場合には、直接液晶分極成分（direct liquid crystal polarization component）の発生を回避するために、バルブの端子にて電圧を交互に変えるのが通常である。  
・発光体が発光ダイオードであるパネルの場合には、特許文献１，２に記されているように、発光体の端子の電圧を定期的に逆転するのが有利であろう。しかしながら、この電力供給電圧の逆転の複数の期間には、この発光体は明らかに発光を停止し、このときダイオードは逆方向の極性が与えられる。  
・電流制御型発光体のパネルの場合には、その電流変調器を備える駆動回路は、この変調器はアモルファス・シリコンの活性層を含むトランジスタであるので、このタイプのトランジスタの、特にトリガ閾値電圧のドリフトを補償するために、変調器の制御電圧を定期的に逆転させるのは有利なことであろう。特許文献３，４はこのような事情を示している。画像が表示されているときは、各駆動回路にとって、この電圧の符号が変調器を導通にさせるように適合されている表示または発光の期間（複数）と、この電圧の符号が逆転し、変調器を導通にはしないような、所謂、デポラリゼーション（depolarization）の期間（複数）とが区別されて存在する。パネルの全体の制御としては、複数の発光期間と複数のデポラリゼーション期間とは重複することができる。すなわち、或る行の発光体またはバルブが発光しているときに他の行の回路、発光体またはバルブはデポラリゼーション期間に入ることもできる。
【００１２】
しかしながら、全体としては、発光体からの、発光として用いることのできる全時間がこのデポラリゼーション期間（複数）の継続時間だけ減少するので、これらの複数の期間の反復はパネルの最大輝度という点において不利となる。
【００１３】
電流制御型発光体のパネルの場合には、尚、この輝度の低下を避けるために、特許文献５は、各発光体が２つの駆動回路を備えていて交互に制御され、アドレス指定電極のアレイを重複して持つことを必要とするパネルを提案している。他の解法は、反対に、行（row）電極のアレイを付け加えることを必要とするものである。
【００１４】
特許文献６は特殊な解法を記述している。この文献の図６とパラグラフ４４と４５に示されている駆動回路を制御することによって、所謂「非発光」期間（複数）において参照アドレス指定電極（これは電力供給のためのベース電極でもある。)に負の電圧Ｖｅｅを印加されて、(この場合は発光ダイオードである)発光体の両端子間に逆極性が得られ、この逆極性の期間は、この発光体と直列に入っている電流変調器Ｔｒ２の制御は中止される(スイッチを閉じることによって保持キャパシタを短絡するので、この変調器のソースとゲートが同電位になる。)
【００１５】
特許文献３，４に記された解法を用いると、アドレス指定電極を制御する手段は、反対符号、すなわち反対極性のアドレス指定信号を伝送するようになっていることを必要とする。特許文献３の解法は、各アドレス指定電極の先頭にトグル素子を付加することを必要とする。この適応条件は、列の「駆動回路」に著しい経費を必要とするものである。
【００１６】
本発明の１つの目的はこの欠点を回避することである。
【００１７】
以前の技術では、通常は、選択スイッチによってアドレス指定電極と回路の制御端子との間を直接導通させることによって、アドレス指定信号が駆動回路へ伝送される。回路の制御端子が変調器のゲート端子に対応する、発光体のパネルがアナログ電圧モードの制御の場合には、変調器のこのゲート電圧は、そこで、少なくともこの回路が選択されている間は、この回路を制御するアドレス指定電極の電圧に等しくなる。
【００１８】
特許文献７は、アドレス指定信号が、上の場合と反対に、容量結合によって駆動回路に伝送される場合を記述している。（この文献の図３および４の）電圧モード制御の場合には、結合キャパシタ(それぞれ参照番号３５０と４５０)は、アドレス指定電極と回路の制御端子との間の直接結合（direct conduction）することなく、リンクを提供する。そのような回路が選択されると、この配置は、アドレス指定電極が発生する電圧ジャンプ信号を、以前に回路に蓄積された変調器トリガ閾値電圧に付加することを可能にする。この場合の、アドレス指定電極と回路の制御端子との間の、導通によるのではなく、容量結合によるリンクは、これら回路の変調器間のトリガ閾値の差異を補償することができ、スクリーンのより一様な輝度と、よりよい表示品質を得ることができる。同じ目的で、他の特許文献８、９、１０は、アドレス指定電極と発光体の電流変調器の制御間の容量結合を記述している。
【課題を解決するための手段】
【００１９】
本発明の本質的な側面は、このような容量結合を、他の目的、すなわち、バルブ端子または発光体端子での電圧を、あるいはこれら発光体の駆動回路の変調器の制御電圧を、アドレス指定信号を逆転することなく、逆転することであり、これは経費のかかるアドレス指定電極の制御手段の必要性を回避する。
【００２０】
このように、本発明によれば、容量結合によって伝送される電圧信号は、特には、画像データを表す発光のためのアドレス指定信号であり、および／またはデポラリゼーション（depolarization）のための、特に発光体の電流変調器のデポラリゼーション（depolarization）のための（同じ符号の）アドレス指定信号である。
【００２１】
一般的な法則として、容量結合は、端子の電圧を電圧ジャンプだけ変化させることを可能にする。この結果、アドレス指定電極から容量結合によって、以前はポテンシャルＶｃａｌにあった制御端子へ伝送される代数値（algebraic value）ΔＶの電圧ステップ信号は、その端子のポテンシャルをＶからＶｃａｌ＋ΔＶへ変化させる。この電圧ジャンプは、そのアドレス指定電極の（ジャンプの前の)初期ポテンシャルの値Ｖｉｎｉには無関係である。
【００２２】
回路の制御端子の電位が、この回路によって制御される発光体から発光を得るために印加される電位とは逆符号の電位Ｖｃａｌ＋ΔＶを達成する電位に、初期値Ｖｃａｌから値ΔＶ(ΔＶ＜０)だけ、容量結合を通して、低減することが望まれる場合本発明に基づくと、この端子に接続されるアドレス指定電極の電位の初期値Ｖｉｎｉ(たとえばＶｉｎｉ＞０)は、代数和Ｖｉｎｉ＋ΔＶ(ΔＶ＜０)がＶｉｎｉと同符号を保つように十分に高ければ、すなわち|Ｖｉｎｉ|＞|ΔＶ|となるように選択すれば、十分である。
【００２３】
以下に詳しく記載するように本発明のパネルの制御では、発光体の各駆動回路の制御は、各画像フレームを表示するとき、この発光体からの発光を行う期間と、この発光体の駆動回路の変調器のデポラリゼーション（depolarization）を行う期間との２つの期間を備える。
【００２４】
以下に詳しく記載するように、本発明のパネルの制御においては、回路の各制御期間において、たとえ発光の期間ではなくても少なくともデポラリゼーション（depolarization）の期間において、
［１］この回路の制御端子をアドレス指定電極に容量的に結合することによってこの回路が選択され、この端子の電位がこの回路の参照端子の電位Ｖｃａｌに「クランプ」される。参照端子は、それ故にこの回路の「クランプ用端子」となる。この選択とこの「クランピング」の期間、電位Ｖｉｎｉがアドレス指定電極に印加される。このとき、値Ｖｃａｌに保たれている制御端子の電位に、このクランピングによる過渡現象以外の影響は与えない。
［２］この回路が尚選択されていて、制御端子が、このときまだクランプ用端子にクランプされている状態で、本発明によれば、クランピングが維持されているので過渡的にだけ、制御端子との容量性結合によって通過する電圧ジャンプ信号ΔＶがアドレス指定電極に印加される。その過渡的電圧ピークは、ピークの瞬間に、ステップ［１］の結合とクランピングを同時に除去することによって、そのとき、ロックされる。回路の制御端子は、このとき、電位Ｖｃａｌから電位Ｖｐｒｏｇ＝Ｖｃａｌ＋Δ’Ｖに変化し、ロッキング操作を通してこの最後の電位に保持される。
【００２５】
現在の（発光またはデポラリゼーション（depolarization）)期間の残りの期間は、この制御端子の電位は、従来技術と同様に、保持キャパシタによってこの値に保持される。
【００２６】
これ故に、Ｖｉｎｉの値は、制御端子の電位になんら影響を与えないことがわかる。本発明によれば、電圧逆転すなわちデポラリゼーション（depolarization）期間（複数）の間、Ｖｉｎｉの値は、それ故に、第１の方法における場合に、適合され、その結果、制御端子上でＶｐｒｏｇを得るために、アドレス指定電極に印加される電位が符号を変えない状態の、|Ｖｉｎｉ|≧|ΔＶ|となるよう、適合される。この結果、都合よく、経費のかかるアドレス指定電極の制御手段の必要性が回避される。
【００２７】
同じ原理が、電力供給電極間で極性を逆転せずに、バルブ端子でも発光体端子でも、電圧を逆転するために、適用可能である。
【００２８】
本発明によるパネルの制御方法を、デポラリゼーション（depolarization）期間（複数）（発光期間（複数）には従来法である導通によるアドレス指定法が用いられる）にだけ、あるいは、は発光期間とデポラリゼーション（depolarization）期間（複数）の両方のどちらかに対して用いることができる。
【００２９】
この制御方法の利点は、各回路に固有のデポラリゼーション（depolarization）信号をアドレス指定することと、デポラリゼーション（depolarization）を各回路の変調器のポラリゼーション（polarization）の程度にあわせることができることである。その程度は、直前の発光期間においてアドレス指定された発光信号に、特に、依存するものである。
【００３０】
本発明の他の利点は、選択とクランピングの操作が常に同時に行われるので、同じ電極が回路の選択スイッチとクランプ用スイッチを制御することができることである。この結果、都合よく、第１の実施形態に比べてアクティブ・マトリクスの電極の数が減少する。この第２の方法は、しかしながら、電圧ジャンプΔＶを印加することに比べてロッキングの非常に正確な調整を必要とする。
【００３１】
本発明の主題は、それ故に、表示パネルであって、複数の発光体または複数の光バルブからなるアレイと、アクティブ・マトリクスであって、複数の電圧モードの信号をアドレス指定するためのアドレス指定用の複数の電極からなるアレイと、複数の選択電極の第１からなるアレイと、アドレス指定するための少なくとも１つの参照電極と、前記複数の発光体または複数のバルブのそれぞれを制御するのに適した複数の回路からなるアレイであって、各回路が、直列に搭載された結合キャパシタと第１の選択スイッチとを経由してアドレス指定電極に接続するのに適した電圧モードの制御端子と、前記制御端子と前記クランプ用端子の間に搭載されたクランプ用スイッチと保持キャパシタを経由して前記制御端子に接続されるのに適した電圧モードのクランプ用端子とを備えている回路のアレイと、を備えたアクティブ・マトリクスと、を備え、クランプ用端子が少なくとも１つの参照電極にリンクされ、前記第１の選択スイッチの制御と前記クランプ用スイッチの制御とが、前記第１のアレイの同じ選択電極にリンクされていることを特徴とするものである。
【００３２】
好ましくは、クランプ用スイッチは、選択スイッチと同じ極性であり、この２つのスイッチを共通に制御するために送られる信号が、これらスイッチの同じ開閉状態を引き起こす。好ましくは、この共通の制御する端子は、選択電極に直接接続される。
【００３３】
好ましくは、発光体またはバルブは、少なくとも２つの電力供給電極、すなわち、通常はアクティブ・マトリクスの１部分を形成する電力供給用ベース電極と、通常は発光体またはバルブの全てをカバーする所謂「上位」電力供給電極、の間で電力供給される。
【００３４】
保持キャパシタは、前記第１の選択スイッチと前記クランプ用スイッチが開のときの画像の持続期間、前記制御端子上に、ほぼ一定の電圧を保持するように適合される。 
好ましくは、パネルは、少なくとも１つのベース電力供給電極と少なくとも１つの上位電力供給電極の間で電力が与えられるように適合される発光体のアレイを備え、そこでは、発光体のそれぞれの前記駆動回路は、前記回路の制御電極を形成する電圧モード制御の電極と、および、前記複数の電力供給電極の１つと前記発光体の電力供給電極との間に接続される２つの電流通過電極とを備える電流変調器を備える。通常は、このような変調器は、ＴＦＴトランジスタである。この変調器によって供給される電流は、このトランジスタのゲート端子とソース端子の間の電位差に依存する。この電位差は、通常は、制御端子と、その回路のその制御電圧に対する参照電極（reference electrode）との間の電位差に、等しくはないが、その関数である。この回路の制御電圧に関する参照電極は、このとき、ベース電力供給電極によって形成される。好ましくは、前記電流変調器はアモルファス・シリコンの半導体層を備えるトランジスタである。
【００３５】
好ましくは、前記発光体は、発光ダイオードであり、好ましくは、有機発光ダイオードであること。
【００３６】
好ましくは、前記駆動回路は、前記結合キャパシタを経由することなく、前記制御端子を、前記アドレス指定電極に接続する第２の選択スイッチを備える。
【００３７】
その場合は、有利なことに回路を選択する２つの手段、  
・ひとつは、第１の選択スイッチが用いられるときには容量結合による手段、  
・残りは、第２の選択スイッチが用いられるときには導通による手段、が存在する。
【００３８】
前記アクティブ・マトリクスはこのとき、前記第２の選択スイッチの制御のために選択電極の第２のアレイを備えるのが好適である。
【００３９】
本発明の他の課題は、本発明によるパネルを制御するための方法であって、所定の電圧Ｖｐｒｏｇ―ｄａｔａ、Ｖｐｒｏｇ―ｐｏｌが、前記パネルの少なくとも１つの駆動回路の制御端子に印加され保持される間に連続した複数の期間を備え、前記期間の少なくとも１つの期間において、前記所定の電圧Ｖｐｒｏｇ―ｄａｔａ、Ｖｐｒｏｇ―ｐｏｌがそれぞれの回路の制御端子（Ｃ）に、過渡的容量結合によって、クランプステップであって、その間、パネルの前記参照電極がクランピング電位に向かって変化して、選択信号が前記駆動回路の第１の選択スイッチとクランプ用スイッチを制御する選択電極に印加され、この信号がこれらのスイッチを閉じるように適合され、前記選択信号が印加されている間に、初期電圧信号Ｖｉｎｉ―Ｅ、Ｖｉｎｉ―Ｐがアドレス指定電極ＸＤに印加される、クランピング・ステップと、回路プログラミング・ステップであって、その間、前記選択信号が依然として印加されている期間で、前記参照電極にリンクされたクランプ用端子のクランピング電位Ｖｃａｌへの制御端子の電位のクランピングが達成された後で、かつ、前記初期信号が印加された後に、最終電圧信号Ｖｄａｔａ、Ｖｐｏｌが前記アドレス指定電極に印加され、この最終信号が、電圧ジャンプΔＶｄａｔａ＝Ｖｄａｔａ−Ｖｉｎｉ―Ｅ、ΔＶｐｏｌ＝Ｖｐｏｌ−Ｖｉｎｉ―Ｐをこのアドレス指定電極ＸＤ上に生成し、次にこれが、前記アドレス指定電極に結合した前記制御端子上に過渡的電圧ジャンプを生成し、前記過渡的電圧ジャンプの期間に、前記選択信号が終了し、前記初期信号Ｖｉｎｉ―Ｅ、Ｖｉｎｉ―Ｐと前記最終信号Ｖｄａｔａ、Ｖｐｏｌの値は、前記選択信号が終了した時点で、前記制御端子上で、前記所定の電圧Ｖｐｒｏｇ―ｄａｔａ、Ｖｐｒｏｇ―ｐｏｌを得ることを可能にする、電圧ジャンプΔＶｐｒｏｇ―ｄａｔａ＝Ｖｐｒｏｇ―ｄａｔａ−Ｖｃａｌ，ΔＶｐｒｏｇ―ｐｏｌ＝Ｖｐｒｏｇ―ｐｏｌ−Ｖｃａｌを得るように適合されている、回路プログラミング・ステップと、にしたがって、印加されることを特徴とする。
【００４０】
実際には、発光期間またはデポラリゼーション（depolarization）期間の間、所定の発光電圧またはデポラリゼーション（depolarization）電圧が、通常は前記パネルの前記駆動回路の制御端子のそれぞれに印加されて保持される。
【００４１】
パネルは、通常は、連続した（一続きの）画像を表示するように意図され、パネルのそれぞれの発光体またはバルブは、表示されるべき画像の対応する画素または副画素を有し、それぞれの所謂発光期間では、パネルのそれぞれの発光体またはバルブは、この発光体またはバルブを制御するために回路の制御端子に印加されるべき、それに関連付けられた所定の発光電圧を有している。この電圧は、この発光体またはバルブによって前記画素または副画素の表示を得るように適合されている。ある変形例によれば、任意の２つの発光期間の間に、発光体、バルブおよび／または駆動回路のデポラリゼーション（depolarization）期間が挿入されている。それぞれのデポラリゼーション（depolarization）期間の間は、パネルのそれぞれの発光体またはバルブは、それと関連した、この発光体、このバルブ、および／または前記回路をデポラリゼーション（depolarization）するために適した所定のデポラリゼーション（depolarization）電圧を有している。
【００４２】
このように、前記パネルの駆動回路の制御端子に印加され、保持されるべき所定の電圧は、  
・この回路によって制御される、パネルの発光体またはバルブが、表示すべき像の画素または副画素を発光するように、  
および／または、パネルの発光体またはバルブ、または駆動回路、または必要に応じて、この回路の電流変調器が、少なくとも部分的にデポラリゼーション（depolarization）がされること、  
が意図されている。
【００４３】
選択信号の終了は、駆動回路の第１選択スイッチおよびクランプ用スイッチを同時に開く。この瞬間、制御端子の電圧は、それ故に、前記所定の電圧に等しくなり、この端子が接続されている保持キャパシタのために、その期間の残りの時間ずっとこの値にほぼ維持される。制御端子にて得られる過渡的電圧ジャンプは、選択信号の終了による中断がなければ、制御端子の電圧は、クランピング電位に戻ってしまうであろうという意味で過渡的である。
【００４４】
制御端子に正しく得られる前記所定の電圧は、それ自身電圧ジャンプを受けるアドレス指定電極への過渡的容量結合によって、この端子に引き起こされる電圧ジャンプから生じるものである。この所定の電圧から、この端子が以前にクランプされていた参照電極の電位との差によって、制御端子で得られるべき電圧ジャンプを推定することができる。制御端子で得られるべきこの電圧ジャンプから、特に制御端子との結合の程度によって、またこの電圧ジャンプと選択信号の終了時点との間の時間間隔Ｔによって、アドレス指定電極で発生すべき電圧ジャンプを推定することができる。
【００４５】
好ましくは、アドレス指定電極での前記電圧ジャンプと前記選択信号の終了時点との間の時間間隔Ｔは、制御端子で得られる電圧ジャンプがほぼ最大となるように適合される。このように、この制御端子とアドレス指定電極との結合は最適化される。
【００４６】
好ましくは、ＣＣとＣＳが結合キャパシタと保持キャパシタのそれぞれのキャパシタンスの値であるとし、Ｒ４が閉じているときの選択スイッチの電気抵抗であるとし、Ｒ３が閉じているときのクランプ用スイッチの電気抵抗であるとし、Ｔ０が式
【００４７】
【数１】
0005536338.tif 000002
【００４８】
で定義されるとき、アドレス指定電極での前記電圧ジャンプと前記選択信号の終了との間の時間間隔Ｔは、Ｔ０≦Ｔ≦１．１Ｔ０である。
【００４９】
好ましくは、前記期間は、発光期間とデポラリゼーション（depolarization）期間を備え、更に、デポラリゼーション（depolarization）期間に駆動回路の制御端子に印加されて保持される所定のいわゆるデポラリゼーション（depolarization）電圧（Ｖｐｒｏｇ―ｐｏｌ）は、発光期間に同じ回路の制御端子に印加され、保持される所定の所謂発光電圧（Ｖｐｒｏｇ―ｄａｔａ）とは反対の極性を持ち、この発光電圧は、前記制御端子が適切に結合しているアドレス指定電極に所謂発光信号を印加することによって得られるものであり、更に、過渡的容量結合によって電圧を印加する少なくとも１つ期間は前記デポラリゼーション（depolarization）期間を含み、前記デポラリゼーション（depolarization）期間のそれぞれに対し、過渡的容量結合によって所定のデポラリゼーション（depolarization）電圧（Ｖｐｒｏｇ―ｐｏｌ）を前記パネルの駆動回路のそれぞれの制御端子に印加することに関して、前記初期電圧信号（Ｖｉｎｉ―Ｐ）および前記最終電圧信号（Ｖｐｏｌ）が前記発光信号と同じ極性を示すように選ばれる。
【００５０】
実際は、例えば先行する発光期間中に起こる電流変調器のトリガ閾値電圧のドリフトなどの、ポラリゼーション（polarization）を補償するために、よく知られている方法で、所定のデポラリゼーション（depolarization）電圧Ｖｐｒｏｇ―ｐｏｌを得るような差ΔＶｐｏｌ＝Ｖｐｏｌ―Ｖｉｎｉ―Ｐが、第１に選ばれる。次に、前記差ΔＶｐｏｌから移って、Ｖｐｏｌ−１の値がＶｉｎｉ―Ｐおよび発光信号と同じ極性となるように、十分に高い値のＶｉｎｉ―Ｐが選ばれる。好ましくは、ΔＶｐｏｌの値がそれを許せば、Ｖｉｎｉ―Ｐ＝０が選ばれる。
【００５１】
信号の極性は、回路の制御電圧に関する参照電極を基準にして測られる。特に、それは発光体またはバルブへの電力供給用のベース電極であることができる。
【００５２】
このように、アドレス指定電極の電圧は符号を変えることはなく、有利なことには、アドレス指定電極を制御するための従来からの、経費のかからない手段を用いることができることである。
【００５３】
本発明は、限定されない例示の方法で与えられた、以下の説明を読み、以下の付属図面を参照することによって、よりよく理解されるであろう。
【発明を実施するための最良の形態】
【００５４】
図において、記述を単純化するために、同じ機能を果たす部品には同一の参照番号が用いられる。
【００５５】
以下に記述される実施形態は、画像表示パネルに関し、その発光体が、アクティブ・マトリクス上に成膜された有機発光ダイオードであり、アクティブ・マトリクスが、これらのダイオード用の駆動回路と電力供給回路を組み込んでいる画像表示パネルに関するものである。これらの発光体は複数の行と複数の列の形に配置されている。
【００５６】
次ぎに、本発明の第１の実施形態の記述を以下で行う。ダイオードの駆動および電力供給回路１”とパネルの電極へのその接続を示す図１を参照すると、この第１の実施形態によるパネルのアクティブ・マトリクスは、  
・１つの同一の列（columns）の、ダイオードを制御する回路の全てが同じアドレス指定電極ＸＤによって動作させられるように、列に配置した複数のアドレス指定電極からなるアレイと、  
１つの同一の行（row）の、ダイオードを制御する回路の全てが、同じ電極によって動作させられるように、行に配置した選択電極ＹＳのアレイと、  
回路の全てに共通の参照電極ＰＲと、  
回路の全てに共通のベース電力供給電極ＰＢと、  
を備えている。
【００５７】
アクティブ・マトリクスは、各ダイオード２の駆動および電力供給回路１”をも備えている。
【００５８】
パネルは、全てのダイオードに共通の上位電力供給電極ＰＡをも備えている。
【００５９】
各ダイオード２の駆動および電力供給回路１は、  
ドレイン端子Ｄとソース端子Ｓである２個の電流端子と、この場合は回路の制御端子Ｃに対応するゲート端子Ｇとを備えた電流変調器Ｔ２と、  
前記ゲートＧと回路のクランプ用端子Ｒとの間に接続された保持キャパシタＣＳと、  
を備えている。
【００６０】
回路の制御端子Ｃは、直列に接続されている選択スイッチＴ４と結合キャパシタＣＣとを経由してアドレス指定電極ＸＤに結合される。ここで、この制御端子Ｃとこのアドレス指定電極ＸＤとの間に電気伝導による接続は存在しない。好ましくは、この結合キャパシタＣＣは、このアドレス指定電極によって動作する駆動回路の全てに共通である。選択スイッチＴ４は、選択電極ＹＳによって制御される。
【００６１】
回路１”は、また、クランプ用スイッチＴ３を備え、これは、制御端子Ｃを回路のクランプ用端子Ｒに、この場合、スイッチＴ４を経由して、または任意選択としては直接に、リンクするように設計されている。このクランプ用スイッチＴ３は、選択スイッチＴ４と同じように、選択電極ＹＳによって制御される。クランプ用端子Ｒは参照電極ＰＲにリンクされる。
【００６２】
電流変調器Ｔ２は、ダイオード２に直列にリンクされる。この結果、ドレイン端子Ｄはダイオード２の陰極に接続される。この直列接続は２つの電力供給電極の間に接続される。ソース端子Ｓはベース電力供給電極ＰＢに接続され、ダイオード２の陽極は上位電力供給電極ＰＡに接続される。
【００６３】
次ぎに、この第１の実施形態によるパネルの動作の説明を次に行う。
【００６４】
電位Ｖｃａｌ，ＶｄｄおよびＶｓｓが、それぞれ参照電極ＰＲおよび電力供給電極ＰＡとＰＢに印加される。ここで、ベース電力供給電極ＰＢの電位Ｖｓｓは０であり、回路１”の制御電圧に対する基準として用いられる。制御電圧は、この場合は、差ＶＧ−ＶＳ＝ＶＧ−Ｖｓｓ＝ＶＧに対応する。本発明の精神から逸脱することなしに、回路の制御電圧の基準として他の基準を考えることもできる。
【００６５】
このとき、ダイオード２のそれぞれの駆動回路１”の制御に関して、各画像フレームの期間は６つのステップに分割される。
【００６６】
発光期間の間に回路をクランピングするためのステップ１：
このステップは、この画像または画像フレーム内のダイオードの発光期間の開始を特徴付ける。選択スイッチＴ４とクランプ用スイッチＴ３は、選択電極ＹＳに適当な論理信号を印加することによって、同時に閉じられる。Ｔ４を閉じることは、ダイオード２の駆動回路１”が、キャパシタＣＣを経由して制御端子Ｃをアドレス指定電極ＸＤに結合することにより、選択されることを引き起こす。スイッチＴ３とＴ４を同時に閉じることは、その結合にも拘らず、制御端子Ｃの電位をクランプ用電極ＰＲに印加されたクランピング電位Ｖｃａｌにクランピングする結果になる。このクランピング・ステップの間に、アドレス指定電極の電位が値Ｖｉｎｉ―Ｅ＝０に向かって変化させられる。このステップの期間の長さは、その電位が安定化し、特にゲートＧの電位が値Ｖｃａｌに留まるために十分な長さである。
【００６７】
発光期間の間に回路をプログラムするステップ２：
このステップの期間は以下に記すようにパネルのアドレス指定を実現するために特に重要である。
【００６８】
このステップの最初に、同じ論理信号を選択電極ＹＳに保持し続ける間に、その効果はクランプ用スイッチＴ３および選択スイッチＴ４を閉じ続けることであるが、アドレス指定電極の電位は、値Ｖｄａｔａ−１へ向かって変化させられ、それ故、その電圧は、電位ジャンプΔＶｄａｔａ−１＝Ｖｄａｔａ−１−Ｖｉｎｉ―Ｅ＝Ｖｄａｔａ−１を受けることになる。結合キャパシタＣＣによる過渡的容量結合により、制御端子Ｃの電位は、このとき、クランピング電位の値Ｖｃａｌの上に（正の）過渡的ピークを生じることになる。
【００６９】
アドレス指定電極ＸＤに電位ジャンプΔＶｄａｔａ−１を印加した瞬間から測って時刻Ｔの時点に、選択電極ＹＳに適当な論理信号を印加することによって選択スイッチＴ４およびクランプ用スイッチＴ３が同時に開けられる。時刻Ｔは、以下により詳しく述べるように、過渡的ピークの頂点の瞬間にできるだけ近くなるように選ばれる。
【００７０】
制御端子Ｃの電位ＶＧは、この結果、値Ｖｐｒｏｇ―ｄａｔａ−ｌに「ロック」される。この電圧ジャンプΔＶｐｒｏｇ―ｄａｔａ−ｌ＝Ｖｐｒｏｇ―ｄａｔａ−１−ＶｃａｌはΔＶｄａｔａ−１に比例する。値Ｖｄａｔａ−１は、変調器の制御電圧ＶＧ―ＶＳ＝Ｖｐｒｏｇ―ｄａｔａ−１−Ｖｓｓ＝Ｖｐｒｏｇ―ｄａｔａ−１が、この画像フレーム期間にダイオード２によって表示される画像データに比例するように決められる。この段階でダイオード２は、前記補正項を別にして、この画像フレーム内のそれと関連付けられた画素または副画素の画像データに比例する輝度の発光を開始する。 
もしＴがあまりにも長く選ばれると、制御端子Ｃの電圧は値Ｖｃａｌに戻ってしまうであろうということは注意すべきである。
【００７１】
発光期間の間に回路を保持するステップ３：
この画像フレーム内の、このダイオード２の発光期間の残りの期間、選択スイッチＴ４とクランプ用スイッチＴ３は、開けられたままである。それ故、駆動回路１”はもはや選択された状態にない。このステップの期間、キャパシタＣＳは制御端子Ｃの電圧を一定値に保持し、ダイオード２は、それ故に、それに関連付けられた画素または副画素の画像データに比例した輝度を発し続ける。
【００７２】
このステップ３の期間、上のステップ１と２が、その画像のすべてを表示するように、他の行のダイオードの駆動回路に適用される。
【００７３】
デポラリゼーション（depolarization）期間の間に変調器の制御をクランピングするためのステップ４：
このステップの開始は、ダイオードの発光期間の終了と、変調器Ｔ２のデポラリゼーション（depolarization）期間の開始とを特徴付ける。選択電極ＹＳに適当な論理信号を印加することによって、選択スイッチＴ４とクランプ用スイッチＴ３が同時に閉じられる。Ｔ４が閉じられると、キャパシタＣＣを経由して、変調器Ｔ２の制御端子Ｃがアドレス指定電極ＸＤに結合されることによって、ダイオード２の駆動回路１は選択された状態になる。スイッチＴ３とＴ４が同時に閉じられると、この容量結合にもかかわらず、制御端子Ｃの電位ＶＧは、参照電極ＰＲに印加されたクランピング電位Ｖｃａｌにクランプされる。これらのスイッチが同時に閉じている間に、アドレス指定電極の電位を値Ｖｉｎｉ―Ｐ―１に向かって変化する。この値Ｖｉｎｉ―Ｐ―１は、後で明らかにされる。このステップの期間の長さは、その電位が安定化すために、特に制御端子Ｃの電位が値Ｖｃａｌに留まるの十分な長さである。
【００７４】
デポラリゼーション（depolarization）期間の間に回路をプログラムするステップ５：
このステップの期間も、以下に記すようにパネルのアドレス指定を実現するために特に重要である。
【００７５】
このステップの最初の同じ論理信号を選択電極ＹＳに保持する間、その効果はクランプ用スイッチＴ３および選択スイッチＴ４を閉じ続けることであるが、アドレス指定電極の電位は、値Ｖｐｏｌ−１へ向かって変化させられる。それ故、電圧は電位ジャンプΔＶｐｏｌ−１＝Ｖｐｏｌ−１−Ｖｉｎｉ―Ｐを受けることになる。結合キャパシタＣＣによる過渡的容量結合により、制御端子Ｃの電位は、このとき、クランピング電位の値Ｖｃａｌの上に（正の）過渡的ピークを受けることになる。
【００７６】
アドレス指定電極ＸＤに電位ジャンプΔＶｐｏｌ−１を印加した瞬間から測って時刻Ｔの時点に、選択電極ＹＳに適当な論理信号を印加することによって選択スイッチＴ４およびクランプ用スイッチＴ３は同時に開けられる。時刻Ｔは、以下により詳しく述べるように、電位ピークの頂点の瞬間にできるだけ近くなるように選ばれる。
【００７７】
この結果、制御端子Ｃの電位ＶＧは、値Ｖｐｒｏｇ―ｐｏｌ―１にロックされる。電位ジャンプΔＶｐｒｏｇ―ｐｏｌ−１＝Ｖｐｒｏｇ―ｐｏｌ−１−ＶｃａｌはΔＶｐｏｌ−１＝Ｖｐｏｌ−１−Ｖｉｎｉ―Ｐ−１に比例する。本発明によれば、Ｖｉｎｉ―Ｐ−１とＶｐｏｌ−１の値は、次の２重の規定によって選ばれる。  
規定１：差ΔＶｐｏｌ−１は、前の発光期間に発生した変調器のトリガ閾値電圧のドリフトを補償するために、よく知られた方法で、適当な値の、変調器の（負の）デポラリゼーション（depolarization）制御電圧ＶＧ―ＶＳ＝Ｖｐｒｏｇ―ｐｏｌ―１―ＶＳＳ＝Ｖｐｒｏｇ―ｐｏｌ―１を得るように調節される。  
規定２：規定１によって定められたにＶｐｏｌ−１が正か０となるように、Ｖｉｎｉ―Ｐ−１は十分高い値である。好ましくは、値ΔＶｐｏｌ−１が許せば、Ｖｉｎｉ―Ｐ−１＝０と選択される。
【００７８】
この結果、アドレス指定電極の電圧は符号を変えることはなく、有利なことには、アドレス指定電極を制御するために従来の、かつ経費のかからない手段を用いることができる。
【００７９】
この段階で、変調器Ｔ２は、Ｖｐｒｏｇ―ｐｏｌ―１の値に比例してデポラリゼーション（depolarization）がされることを開始する。 
【００８０】
デポラリゼーション（depolarization）期間の間、回路を保持するステップ６：
この画像フレーム内の、このダイオード２のデポラリゼーション（depolarization）期間の残りの期間、選択スイッチＴ４とクランプ用スイッチＴ３は開けられたままである。それ故、駆動回路１”はもはや選択された状態にない。このステップの期間、キャパシタＣＳは、変調器Ｔ２の制御電圧を一定値に保持し、変調器Ｔ２は、それ故に、Ｖｐｒｏｇ―ｐｏｌ―１の値に比例して、デポラリゼーション（depolarization）がされることを続ける。
【００８１】
このステップ６の期間、パネルの全ての駆動回路の変調器のデポラリゼーション（depolarization）を行うように、他の行のダイオードの駆動回路に、このステップ４と５が適用される。
【００８２】
このステップの終了は、変調器Ｔ２のデポラリゼーション（depolarization）期間の終了と、新しい画像フレームにおけるダイオード２の新しい発光期間の開始を特徴付ける。
【００８３】
変調器Ｔ２のゲートＧ上に必要とされる電位ジャンプΔＶｐｒｏｇ―ｄａｔａ−１およびΔＶｐｒｏｇ―ｐｏｌ―１を得るためには、それ故に、プログラミング・ステップ２と４の持続時間Ｔは特に重要である。
【００８４】
ＣＣとＣＳは、前と同様に、結合キャパシタと保持キャパシタのそれぞれのキャパシタンスの値であるとし、Ｒ４は閉じているときの選択スイッチ（Ｔ４）の電気抵抗であるとし、Ｒ３は閉じているときのクランプ用スイッチ（Ｔ３）の電気抵抗であるとしたときに、ゲートＧの電位ピークは、アドレス指定電極に電圧ジャンプΔＶｄａｔａ−１、およびΔＶｐｏｌ−１が印加される時刻ｔ＝０からずれた時刻ｔ＝Ｔ０に得られることが示されている。ここで、
【００８５】
【数２】
0005536338.tif 000003
【００８６】
である。
【００８７】
駆動回路のトランジスタはアモルファス・シリコンで作られているので、Ｒ４とＲ３の値は通常は高く、１００キロオームの程度である。これは、比較的大きな時定数Ｒ３×ＣＣとＲ４×ＣＳをもたらすことになる。Ｒ３＝Ｒ４＝１ＭΩ、ＣＳ＝０．５ｐＦ、ＣＣ＝３ｐＦとすると、Ｔ０＝１μｓとなる。
【００８８】
好ましくは、Ｔの値を、Ｔ０≦Ｔ≦１．１Ｔ０のように選ぶのが最良である。
【００８９】
ステップ２では、電位ジャンプΔＶｐｒｏｇ―ｄａｔａ−１＝Ｖｐｒｏｇ―ｄａｔａ−１−ＶｃａｌはΔＶｄａｔａ−１＝Ｖｄａｔａ−１−Ｖｉｎｉ―Ｅ−１に比例し、ステップ５では、電圧ジャンプΔＶｐｒｏｇ―ｐｏｌ−１＝Ｖｐｒｏｇ―ｐｏｌ−１−ＶｃａｌはΔＶｐｏｌ−１＝Ｖｐｏｌ−１−Ｖｉｎｉ―Ｐ−１に比例するということを上に示した。この比例関係は、プログラミング・ステップ２と５の持続時間Ｔに依存するだけでなく、アドレス指定電極ＸＤと制御端子Ｃとの間の「結合係数」に依存する。制御端子Ｃ上の電位ジャンプΔＶｐｒｏｇ―ｄａｔａ−１、ΔＶｐｒｏｇ―ｐｏｌ―１、ΔＶｐｒｏｇ―ｄａｔａ−２およびΔＶｐｒｏｇ―ｐｏｌ―２と、アドレス指定電極上の対応する電位ジャンプΔＶｄａｔａ−１、ΔＶｐｏｌ―１、ΔＶｄａｔａ−２、およびΔＶｐｏｌ―２との間の比例定数Ｋ（ｔ)、すなわち結合定数は、前記電位ジャンプがアドレス指定電極に印加された瞬間ｔ＝０から時間変化するが、
【００９０】
【数３】
0005536338.tif 000004
【００９１】
という形で表されることが示されている。ここでＫ＝Ｃｃ／（ＣＣ＋ＣＳ）であり、ＣＣとＣＳはそれぞれ結合キャパシタと保持キャパシタの容量の値を示し、また、τ＝Ｒ４×ＣＣ×ＣＳ／ （ＣＣ＋ＣＳ）であり、ここでＲ４は閉じたときの選択スイッチの電気抵抗を表す。
【００９２】
アドレス指定ステップ（上のステップ２または５）における電位の安定化を実現し、保持キャパシタＣＳを充電するためには、このステップの期間は少なくとも５×τに等しいことが好適である。
【００９３】
変調器Ｔ２の制御電圧は、容量結合が除かれたために、ステップ２とステップ３の間でわずかな低下―ΔＶｐｒｏｇ―ｄａｔａ−ｃｏｒを、またステップ５とステップ６の間でわずかな低下―ΔＶｐｒｏｇ―ｐｏｌ−ｃｏｒを受ける可能性がある。変調器のデポラリゼーション（depolarization）がその目的に合致するためには、補正＋ΔＶｐｒｏｇ―ｄａｔａ−ｃｏｒ、＋ΔＶｐｒｏｇ―ｐｏｌ−ｃｏｒを加えて目標値Ｖｐｒｏｇ―ｄａｔａ−１、Ｖｐｒｏｇ―ｐｏｌ−１にすることが望ましい。
【００９４】
さて、次に、主に、発光期間において、回路のアドレス指定が、従来のように、アドレス指定電極と回路の制御端子との間の導通によって行われる点で、主に、第１の実施形態と異なる本発明の第２の実施形態を記述する。図２を参照すると、パネルはこのとき、選択電極ＹＳＥとＹＳＰの２つのアレイを備える。第１のアレイは発光期間において用いられ、第２のアレイはデポラリゼーション（depolarization）期間において用いられる。各駆動回路１”’は、制御端子Ｃをアドレス指定電極ＸＤへの導通によってリンクするように、結合キャパシタＣＣを短絡するように適した、発光のための選択スイッチＴ１を更に備えている点で、これまで記述してきた第１の実施形態の駆動回路１”と異なる。このスイッチＴ１は、発光用の選択電極ＹＳＥによって制御される。選択スイッチＴ４はデポラリゼーション（depolarization）のためだけに用いられる。したがって、発光体の駆動回路はそれぞれ４つのＴＦＴトランジスタを備える。
【手続補正１４】
【補正対象書類名】    明細書
【補正対象項目名】    ０１０３
【補正方法】          変更
【補正の内容】
【０１０３】
上に記した実施形態は、アクティブ・マトリクスを有する有機発光ダイオード表示パネルに関するものである。本発明はより一般的にあらゆる種類のアクティブ・マトリクス表示パネルに適用でき、特に、電流制御型発光体または光バルブに適用される。
以下に、本発明の好ましい態様を示す。
付記１．複数の発光体または複数の光バルブからなるアレイと、
アクティブ・マトリクスであって、
複数の電圧モードの信号をアドレス指定するためのアドレス指定用の複数の電極（ＸＤ）からなるアレイと、
複数の選択電極（ＹＳ、ＹＳＰ）からなる第１のアレイと、
アドレス指定のための少なくとも１つの参照電極（ＰＲ）と、
前記複数の発光体または複数のバルブのそれぞれを制御するのに適した複数の回路からなるアレイであって、各回路（１”、１”’）は、直列に搭載された結合キャパシタ（ＣＣ）と第１の選択スイッチ（Ｔ４）とを経由してアドレス指定電極（ＸＤ）に結合するのに適した電圧モードの制御端子（Ｃ）と、
選択スイッチ（Ｔ４）と同じ極性のクランプ用スイッチ（Ｔ３）を介してと前記制御端子（Ｃ）および前記クランプ用端子（Ｒ）の間に搭載された保持キャパシタ（ＣＳ）とを経由して前記制御端子（Ｃ）に接続されるのに適した電圧モードのクランプ用端子（Ｒ）とを備えている、アレイと、
を備えたアクティブ・マトリクスと
を備え、
前記クランプ用端子（Ｒ）が少なくとも１つの参照電極（ＰＲ）にリンクされ、
前記第１の選択スイッチ（Ｔ４）の制御と前記クランプ用スイッチ（Ｔ３）の制御とが、前記第１のアレイの同じ選択電極（ＹＳ）に直接接続している
ことを特徴とする表示パネル。
付記２．少なくとも１つのベース電力供給電極ＰＢと少なくとも１つの上位電力供給電極ＰＡの間で電力が与えられるのに適した発光体のアレイを備え、
発光体（２）の前記制御回路のそれぞれは、前記回路の制御電極（Ｃ）を形成する電圧モードの制御電極（Ｇ）と、前記電力供給電極（ＰＡ、ＰＢ）の１つと前記発光体の電力供給電極の間に接続される２つの電流通過型電極（Ｄ，Ｓ）を備えた電流変調器（Ｔ２）を備える
ことを特徴とする、付記１に記載のパネル。
付記３．前記電流変調器は、アモルファス・シリコンからなる半導体層を備えたトランジスタであることを特徴とする、付記２に記載のパネル。
付記４．前記発光体は、発光ダイオードであることを特徴とする、付記２または３に記載のパネル。
付記５．前記制御回路（１”’）は、前記制御端子（Ｃ）を前記アドレス指定電極（ＸＤ）に、前記結合キャパシタ（ＣＣ）を通過することなくリンクするのに適した第２選択スイッチ（Ｔ１）を備えることを特徴とする、付記１乃至４のいずれか１つに記載のパネル。
付記６．付記１乃至５のいずれか１つに記載のパネルを制御する方法であって、
所定の電圧（Ｖｐｒｏｇ―ｄａｔａ、Ｖｐｒｏｇ―ｐｏｌ）が、前記パネルの少なくとも１つの制御回路の制御端子に印加され、保持される間に連続した複数の期間を備え、前記期間の少なくとも１つの期間において、前記所定の電圧（Ｖｐｒｏｇ―ｄａｔａ、Ｖｐｒｏｇ―ｐｏｌ）がそれぞれの回路の制御端子（Ｃ）に、過渡的容量結合によって、
クランピング・ステップであって、その間、パネルの前記参照電極（ＰＲ）がクランピング電位（Ｖｃａｌ）に向かって変化して、選択信号が前記制御回路の第１の選択スイッチ（Ｔ４）とクランプ用スイッチ（Ｔ３）を制御する選択電極（ＹＳ）に印加され、この信号が前記スイッチ（Ｔ４、Ｔ３）を閉じるように適合され、前記選択信号が印加されている間に、初期電圧信号（Ｖｉｎｉ―Ｅ、Ｖｉｎｉ―Ｐ）がアドレス指定電極（ＸＤ）に印加される、クランピング・ステップと、
回路プログラミング・ステップであって、その間、前記選択信号が依然として、印加されている期間で、前記参照電極（ＰＲ）にリンクされたクランプ用端子（Ｒ）のクランピング電位（Ｖｃａｌ）への制御端子（Ｃ）の電位のクランピングが達成された後で、かつ、前記初期信号が印加された後に、最終電圧信号（Ｖｄａｔａ、Ｖｐｏｌ）が前記アドレス指定電極（ＸＤ）に印加され、この最終信号が電圧ジャンプ（ΔＶｄａｔａ＝Ｖｄａｔａ−Ｖｉｎｉ―Ｅ、ΔＶｐｏｌ＝Ｖｐｏｌ−Ｖｉｎｉ―Ｐ）をこのアドレス指定電極（ＸＤ）上に生成し、次ぎにこれが、前記アドレス指定電極（ＸＤ）に結合した前記制御端子（Ｃ）上に過渡的電圧ジャンプを生成し、前記過渡的電圧ジャンプの期間に前記選択信号が終了し、前記初期信号（Ｖｉｎｉ―Ｅ、Ｖｉｎｉ―Ｐ）と前記最終信号（Ｖｄａｔａ、Ｖｐｏｌ）の値は、前記選択信号が終了した時点で、前記制御端子（Ｃ）上で、前記所定の電圧（Ｖｐｒｏｇ―ｄａｔａ、Ｖｐｒｏｇ―ｐｏｌ）を得ることを可能にする電圧ジャンプ（ΔＶｐｒｏｇ―ｄａｔａ＝Ｖｐｒｏｇ―ｄａｔａ−Ｖｃａｌ，ΔＶｐｒｏｇ―ｐｏｌ＝Ｖｐｒｏｇ―ｐｏｌ−Ｖｃａｌ）を得るように適合されている回路プログラミング・ステップと
に従って、印加されることを特徴とする方法。
付記７．アドレス指定電極（ＸＤ）での前記電圧ジャンプと前記選択信号の終了時との間の時間間隔Ｔは、制御端子で得られる電圧ジャンプがほぼ最大値をとるように適合されることを特徴とする、付記６に記載の方法。
付記８．ＣＣとＣＳが結合キャパシタと保持キャパシタのそれぞれのキャパシタンスの値であるとし、Ｒ４が閉じているときの選択スイッチ（Ｔ４）の電気抵抗であるとし、Ｒ３が閉じているときのクランプ用スイッチ（Ｔ３）の電気抵抗であるとし、Ｔ０が式
［数１］
0005536338.tif 000005
で定義されるとき、アドレス指定電極（ＸＤ）での前記電圧ジャンプと前記選択信号の終了時との間の時間間隔Ｔは、Ｔ０≦Ｔ≦１．１Ｔ０であることを特徴とする、付記６または７に記載の方法。
付記９．前記複数の期間は、複数の発光期間と複数のデポラリゼーション期間を備え、
デポラリゼーション期間に制御回路の制御端子に印加されて保持される所定のいわゆるデポラリゼーション電圧（Ｖｐｒｏｇ―ｐｏｌ）は、発光期間に同じ回路の制御端子に印加され保持される所定の所謂発光電圧（Ｖｐｒｏｇ―ｄａｔａ）とは反対の極性の電圧であり、この発光電圧は、前記制御端子が結合するのに適したアドレス指定電極（ＸＤ）への所謂発光信号の印加によって得られ、
過渡的容量結合によって電圧を印加する少なくとも１つ期間は、前記デポラリゼーション期間を含み、
前記デポラリゼーション期間のそれぞれに関して、過渡的容量結合によって所定のデポラリゼーション電圧（Ｖｐｒｏｇ―ｐｏｌ）を前記パネルの制御回路のそれぞれの制御端子に印加することに関して、前記初期電圧信号（Ｖｉｎｉ―Ｐ）および前記最終電圧信号（Ｖｐｏｌ）が前記発光信号と同じ極性を示すように選ばれることを特徴とする、付記６から８のいずれか１つに記載の方法。
【００９５】
さて、つぎに、図３を参照して、この第２の実施形態によるパネルの動作を説明しよう。
【００９６】
ダイオード２の各駆動回路１”’の制御のために、このとき、各画像フレームの期間は５つのステップに分割される。前に記述した操作と異なる点は、
発光期間のステップ１と２が変更されて以下のステップ１になることであり、
発光期間のステップ３とデポラリゼーション（depolarization）期間のステップ４，５，６は変わらずにそれぞれ新たな番号２，３，４，５が付けられることである。
電位Ｖｃａｌ，ＶｄｄおよびＶｓｓが参照電極ＰＲおよび電力供給電極ＰＡとＰＢにそれぞれ印加される。
【００９７】
発光期間の間に回路をアドレス指定をするステップ１：
このステップは、この画像フレームにおいてダイオードの発光期間の開始を特徴付ける。この期間、デポラリゼーション（depolarization）用の選択スイッチＴ４とクランプ用スイッチＴ３とは開のままである。選択電極ＹＳに適当な論理信号を印加することによって発光用の選択スイッチＴ１は閉じられる。Ｔ１が閉じることは、回路が、変調器Ｔ２のゲートＧをアドレス指定電極ＸＤへリンクすることによって、発光のために選択されることになる。このステップの間、アドレス指定電極の電位は値Ｖｄａｔａ−１に向かって変化し、それが変調器Ｔ２の制御ゲートＧ上に伝わる。このステップの時間間隔は保持キャパシタＣＳを充電するのに十分に長い。それ故に、ダイオード２はこの画像フレームに関連付けられた画素または副画素の画像データに比例した輝度の発光を開始する。
【００９８】
発光期間の間に回路を保持するステップ２：前のステップ３を参照のこと。
この画像フレーム内のこのダイオード２の残りの発光期間中、選択スイッチＴ１とＴ４およびクランプ用スイッチＴ３は開いたままである。駆動回路１”’は、発光のためにもあるいはデポラリゼーション（depolarization）のためにも、もはや選択されてはいない。このステップの間、キャパシタＣＳは変調器Ｔ２の制御電圧を一定値に維持し、ダイオード２は、それ故、関連付けられた画素または副画素の画像データに比例した輝度を発光し続ける。
【００９９】
このステップ３の間に、画像の全てが表示されるように、他の行のダイオードの駆動回路にも上のステップ１が適用される。
【０１００】
デポラリゼーション（depolarization）期間の間に変調器の制御をクランピングするためのステップ３：前のステップ４を参照のこと。
このステップの開始は、ダイオードの発光期間の終了と変調器Ｔ２のデポラリゼーション（depolarization）期間の開始を特徴付ける。デポラリゼーション（depolarization）期間の間、発光用の選択スイッチは開のままである。
【０１０１】
デポラリゼーション（depolarization）期間の間に回路をプログラムするステップ４：前のステップ５を参照のこと。
【０１０２】
デポラリゼーション（depolarization）期間の間に回路を保持するステップ５：前のステップ６を参照のこと。
このステップの終了は、変調器Ｔ２のデポラリゼーション（depolarization）期間の終了と、新しい画像フレームにおけるダイオード２の新しい発光期間の開始を特徴付ける。
【０１０３】
上に記した実施形態は、アクティブ・マトリクスを有する有機発光ダイオード表示パネルに関するものである。本発明はより一般的にあらゆる種類のアクティブ・マトリクス表示パネルに適用でき、特に、電流制御型発光体または光バルブに適用される。
【図面の簡単な説明】
【０１０４】
【図１】本発明によるパネル駆動回路の実施形態を示す図である。
【図２】本発明によるパネル駆動回路の別の実施形態を示す図である。
【図３】図２のパネルを制御するときの、図２の回路の制御に対する一続きの期間と、フレームの間に印加される信号のタイミング図である（ＶＹＡ、ＶＹＢは論理信号、ＶＸＤはアドレス指定信号）。このタイミング図は、また、この回路の変調器の制御電位ＶＧの傾向と、この回路によって制御されるダイオードに流れる電流の強度Ｉｄｄの傾向を示す。タイミング図を表す図は、値の尺度は考慮していない。これは縮尺が考慮されると明確にはならないであろう或る細部を示すのに好都合であるからである。
【図１】
0005536338.tif 000007
【図２】
0005536338.tif 000008
【図３】
0005536338.tif 000009